(57)【要約】  内部に電子回路が収納された本体部、本体部に軸支されて本体部の前に倒れ、上面である第１面に、電子回路が内蔵され、該電子回路との接続用のコネクタを有する電子機器が平置きされる平置き状態と、本体部に対し立設し、この電子機器が第１面に対する裏面である第２面に立て掛けられる立掛け状態との間で回動自在な板部、および、板部が平置き状態にあるときに板部に平置きされるこの電子機器のコネクタと結合し、この電子機器の内部の電子回路を本体部内部の電子回路に接続する第１のコネクタを備えた。
2008096448.tif 000002
【特許請求の範囲】
【請求項１】
内部に電子回路が収納された本体部、
前記本体部に軸支されて該本体部の前に倒れ、上面である第１面に電子機器が平置きされる平置き状態と、該本体部に対し立設し、該電子機器が前記第１面に対する裏面である第２面に立て掛けられる立掛け状態との間で回動自在な板部、および
前記板部が前記平置き状態にあるときに該板部に平置きされる電子機器と結合し、該電子機器を前記本体部内部の電子回路に接続する第１のコネクタを備えたことを特徴とする接続モジュール。
【請求項２】
前記板部が前記立掛け状態にあるときの該板部に立て掛けられる電子機器と結合し該電子機器を前記本体部内部の電子回路に接続する第２のコネクタをさらに備えたことを特徴とする請求項１記載の接続モジュール。
【請求項３】
前記第１のコネクタが、前記板部の前記第１面に設けられたものであることを特徴とする請求項１記載の接続モジュール。
【請求項４】
前記第２のコネクタが、前記板部の前記第２面に設けられたものであることを特徴とする請求項２記載の接続モジュール。
【請求項５】
前記板部が前記立掛け状態にあって該板部の前記第２面に電子機器が立て掛けられているときの該電子機器の下端部を受ける受部を備え、前記第２のコネクタが前記受部に設けられたものであることを特徴とする請求項２記載の接続モジュール。
【請求項６】
前記板部が、前記第１面と前記第２面とを貫通する開口を有し、
前記本体部に、前記板部とは別に軸支されるとともに前記第２のコネクタを備え、前記板部が前記立掛け状態にある時の前記開口に入り込んで前記第２のコネクタを前記板部に立て掛けられた電子機器と結合させる結合状態と、該第２のコネクタが該板部に立て掛けられた電子機器から離間した離間状態との間で回動自在なコネクタ保持部を備えたことを特徴とする請求項２記載の接続モジュール。
【請求項７】
当該接続モジュールが、電子機器に電力を供給する電力供給回路を内蔵したものであって、
前記板部が前記立掛け状態にあるときの該板部に立て掛けられた電子機器と結合して該電子機器に電力を供給する第３のコネクタを備えたことを特徴とする請求項１記載の接続モジュール。
【請求項８】
前記電子機器が、キーボードを有する第１ユニットと、表示画面を有し該第１ユニットに対し開閉自在かつ回動自在に支持する二軸の連結部を介して連結された第２ユニットとを備え、該第２ユニットが該第１ユニット上に立設した開状態と、該第２ユニットが該第ユニット上に該表示画面を内向きにして重ねられた第１の閉状態と、該第２ユニットが該第１ユニット上に該表示画面を外向きにして重ねられた第２の閉状態とを有するコンバーチブル型タブレットコンピュータであって、
当該接続モジュールは、前記コンバーチブル型タブレットコンピュータを結合し、および立て掛けるものであることを特徴とする請求項１記載の接続モジュール。
【請求項９】
電子回路が内蔵され、該電子回路との接続用のコネクタを有する電子機器と、
内部に電子回路が収納された本体部、該本体部に軸支されて該本体部の前に倒れ、上面である第１面に前記電子機器が平置きされる平置き状態と、該本体部に対し立設し、該電子機器が該第１面に対する裏面である第２面に立て掛けられる立掛け状態との間で回動自在な板部、および、該板部が該平置き状態にあるときに該板部に平置きされる前記電子機器のコネクタと結合し、該電子機器の電子回路を前記本体部内部の電子回路に接続するコネクタを有する接続モジュールとを備えたことを特徴とする電子機器結合システム。
【請求項１０】
前記電子機器が、キーボードを有する本体部と、表示画面を有し、該本体部に対し開閉自在かつ回動自在に支持する二軸の連結部を介して連結された表示部とを備え、前記表示部が本体上に立設した開状態と、該表示部が本体上に表示画面を内向きにして重ねられた第１の閉状態と、該表示部が本体部上に表示画面を外向きにして重ねられた第２の閉状態とを有するコンバーチブル型のタブレットコンピュータであることを特徴とする請求項９記載の電子機器結合システム。
【発明の詳細な説明】
【技術分野】
【０００１】
本発明は、電子機器が結合される接続モジュール、および電子機器結合モジュールに関する。
【背景技術】
【０００２】
従来より、表示部の表示画面を本体部のキーボードに対面させて重ねた閉状態から、表示部を本体部上に立設させた開状態にして使用される、所謂ノート型パーソナルコンピュータ（以下、ノートＰＣと称す。）では、携帯性に鑑みて、周辺機器との接続用コネクタの配備は最小限度に留められている。【０００３】
近年、このノートＰＣを、外部機器との接続性が高いデスクトップ型パーソナルコンピュータと同等の性能を持ったパーソナルコンピュータとして使用できるように、外部機器との接続用コネクタが豊富に備えられていると共にノートＰＣとの結合が可能な、ポートリプリケータあるいはドッキングステーションなどとよばれる接続モジュールが提案されている。【０００４】
また近年では、キーボードが備えられておらず、いわばノートＰＣの表示部が本体部上に表示画面を外向きに重ねて固定されたようなスレート型のタブレットコンピュータ（以下、スレート型コンピュータと称する。）と呼ばれる、やはり周辺機器との接続用コネクタの配備は最小限度に留められた携帯型コンピュータも利用されており、このスレート型コンピュータの、外部機器との接続性を高めるための提案がなされている（例えば、特許文献１参照）。【０００５】
上記特許文献１の提案では、このスレート型コンピュータと接続モジュールとの結合が、このスレート型コンピュータの表示画面が見やすいようにこのスレート型コンピュータが接続モジュールに立て掛けられて行われる。【０００６】
さらに近年では、キーボードを有する本体部と、表示画面を有し、この本体部に対し開閉自在かつ回動自在に支持する二軸の連結部を介して連結された表示部とを備え、この表示部が本体上に立設した開状態と、表示部が本体上に表示画面を内向きにして重ねられた第１の閉状態と、表示部が本体部上に表示画面を外向きにして重ねられた第２の閉状態とを有するコンバーチブル型のタブレットコンピュータ（以下、コンバーチブル型コンピュータと称す。）が利用されている。
【特許文献１】特開２００１−１０１１４０号公報（図３）
【発明の開示】
【０００７】
このコンバーチブル型コンピュータについては、上述の開状態で使用する場合と、ＤＶＤの再生など上述の第２の閉状態で使用する場合との２通りの使用態様が考えられるものの、特許文献１に提案されている接続モジュールではこれら２通りの使用態様に対応できないという問題がある。
【０００８】
本発明は、上記事情に鑑み、コンバーチブル型タブレットコンピュータへの対応も可能な接続モジュール、および電子機器結合システムを提供することを目的とする。
【０００９】
上記目的を達成するための本発明の接続モジュールは、
内部に電子回路が収納された本体部、
上記本体部に軸支されてこの本体部の前に倒れ、上面である第１面に電子機器が平置きされる平置き状態と、この本体部に対し立設し、この電子機器が上記第１面に対する裏面である第２面に立て掛けられる立掛け状態との間で回動自在な板部、および
上記板部が上記平置き状態にあるときにこの板部に平置きされる電子機器と結合し、この電子機器を上記本体部内部の電子回路に接続する第１のコネクタを備えたことを特徴とする。
【００１０】
本発明の接続モジュールは、平置き状態と立掛け状態との間で回動自在であって、第１のコネクタを備えた板部を有していることから、例えば、板部を平置き状態とすることで開状態にあるコンバーチブル型タブレットコンピュータとの結合が可能となり、また、板部を立掛け状態とすることで、徐の第２の閉状態にあるコンバーチブル型タブレットコンピュータの、板部への立て掛けが可能となる。したがって、本発明の接続モジュールによれば、コンバーチブル型タブレットコンピュータへの対応が可能となる。
【００１１】
ここで、本発明の接続モジュールは、上記板部が上記立掛け状態にあるときのこの板部に立て掛けられる電子機器と結合しこの電子機器を上記本体部内部の電子回路に接続する第２のコネクタをさらに備えることが好ましい。
【００１２】
この様にすると、立掛け状態の板部に立て掛けられている電子機器についても本体部内の電子回路との接続が可能になる。
【００１３】
また、本発明の接続モジュールの上記第１のコネクタは、上記板部の上記第１面に設けられていてもよい。さらに、本発明の接続モジュールの上記第２のコネクタが、上記板部の上記第２面に設けられていてもよく、あるいは、本発明の接続モジュールは、上記板部が上記立掛け状態にあってこの板部の上記第２面に電子機器が立て掛けられているときのこの電子機器の下端部を受ける受部を備え、上記第２のコネクタが上記受部に設けられたものであってもよい。
【００１４】
また、本発明の接続モジュールは、
上記板部が、上記第１面と上記第２面とを貫通する開口を有し、
上記本体部に、上記板部とは別に軸支されるとともに上記第２のコネクタを備え、上記板部が上記立掛け状態にある時の上記開口に入り込んで上記第２のコネクタを上記板部に立て掛けられ電子機器と結合させる結合状態と、この第２のコネクタがこの板部に立て掛けられた電子機器から離間した離間状態との間で回動自在なコネクタ保持部を備えたものであってもよい。
【００１５】
ここで、この接続モジュールが、電子機器に電力を供給する電力供給回路を内蔵したものであって、
上記板部が上記立掛け状態にあるときのこの板部に立て掛けられた電子機器と結合してこの電子機器に電力を供給する第３のコネクタを備えたものであることも好ましい態様である。
【００１６】
この様に、板部が立掛け状態にあるときのこの板部に立て掛けられた電子機器と結合してこの電子機器に電力を供給する第３のコネクタを備えていると、閉状態にあるコンバーチブル型タブレットコンピュータに電力を供給することができる。
【００１７】
ここで、上記電子機器が、キーボードを有する第１ユニットと、表示画面を有しこの第１ユニットに対し開閉自在かつ回動自在に支持する二軸の連結部を介して連結された第２ユニットとを備え、この第２ユニットがこの第１ユニット上に立設した開状態と、この第２ユニットがこの第ユニット上にこの表示画面を内向きにして重ねられた第１の閉状態と、この第２ユニットがこの第１ユニット上にこの表示画面を外向きにして重ねられた第２の閉状態とを有するコンバーチブル型タブレットコンピュータであって、
この接続モジュールは、このコンバーチブル型タブレットコンピュータを結合し、および立て掛けるものであってもよい。
【００１８】
上記目的を達成するための本発明の電子機器結合システムは、
電子回路が内蔵され、この電子回路との接続用のコネクタを有する電子機器と、
内部に電子回路が収納された本体部、この本体部に軸支されてこの本体部の前に倒れ、上面である第１面に上記電子機器が平置きされる平置き状態と、この本体部に対し立設し、この電子機器がこの第１面に対する裏面である第２面に立て掛けられる立掛け状態との間で回動自在な板部、および、この板部がこの平置き状態にあるときにこの板部に平置きされる上記電子機器のコネクタと結合し、この電子機器の電子回路を上記本体部内部の電子回路に接続する第１のコネクタを有する接続モジュールとを備えたことを特徴とする。
【００１９】
ここで、本発明の電子機器結合システムの電子機器が、キーボードを有する本体部と、表示画面を有し、この本体部に対し開閉自在かつ回動自在に支持する二軸の連結部を介して連結された表示部とを備え、上記表示部が本体上に立設した開状態と、この表示部が本体上に表示画面を内向きにして重ねられた第１の閉状態と、この表示部が本体部上に表示画面を外向きにして重ねられた第２の閉状態とを有するコンバーチブル型のタブレットコンピュータであってもよい。
【００２０】
本発明によれば、コンバーチブル型タブレットコンピュータへの対応も可能な接続モジュール、および電子機器結合システムを提供することができる。
【図面の簡単な説明】
【００２１】
【図１】本発明の接続モジュールの第１実施形態を示す図である。
【図２】図１に示す接続モジュールによる対応が可能なコンピュータを示す図である。
【図３】本発明の電子機器結合システムの一実施形態の外観図である。
【図４】本実施形態の接続モジュールを示す図である。
【図５】本実施形態の接続モジュールによる対応が可能なコンピュータを示す図である。
【図６】本実施形態の接続モジュールを示す図である。
【図７】本実施形態の接続モジュールによる対応が可能なコンピュータを示す図である。
【図８】本実施形態の接続モジュールの外観を示す図である。
【発明を実施するための最良の形態】
【００２２】
以下、図面を参照して本発明の実施の形態を説明する。【００２３】
図１は、本発明の接続モジュールの第１実施形態を示す図である。【００２４】
図１には、本実施形態の接続モジュール１が、本体２と、この本体２に軸支されて回動自在な回動板３と、この回動板３の上面３ａに設けられた第１コネクタ４と、この回動板３の下面３ｂに設けられた第２コネクタ５とで構成されている様子が示されている。【００２５】
本体２は、背面側にＬＡＮや外部ディスプレイなどとの接続用のコネクタ部２ｂ（図１（ｅ）参照）と、内部にこのコネクタ部２ｂに電気的に接続された電子回路（不図示）とを有している。【００２６】
回動板３は、本体２に軸支されてこの本体２の前に倒れ、その上面３ａにコンバーチブル型タブレットコンピュータ（以下、コンピュータと称する。）１０（図２参照）が平置きされる平置き状態（図１（ａ））と、この本体２に対し立設し、このコンピュータ１０が下面３ｂに立て掛けられる立掛け状態（図１（ｂ））との間で回動自在となっている。本体２の前面側には、立て掛けられたコンピュータ１０の下端部を受ける受部２ａが備えられている。【００２７】
第１コネクタ４は、回動板３が平置き状態にあるときにこの回動板３に平置きされるコンピュータ１０と結合するためのコネクタであり、また、この第１コネクタ４は、回動板内部に配備されている電気配線を介して本体２の内部に配備されている電子回路に接続されている。【００２８】
第２コネクタ５は、回動板３が立掛け状態にあるときにこの回動板３に立て掛けられるコンピュータ１０と結合するための、機能的には第１コネクタ４と同種類のコネクタである。この第２コネクタ５も、回動板内部に配備されている電気配線を介して本体２の内部に配備されている電子回路に接続されている。【００２９】
図１（ｃ）には、図１（ａ）に示す平置き状態にある回動板３を左側面側から見た様子が示されており、図１（ｄ）には、図１（ｂ）に示す立掛け状態にある回動板３を左側面側から見た様子が示されている。【００３０】
また、図１（ｅ）には、接続モジュール１を背面側から見た様子が示されており、ここには、本体２の背面側に備えられている、ＬＡＮ（Ｌｏｃａｌ  Ａｒｅａ  Ｎｅｔｗｏｒｋ）やプリンタなどとの接続用のコネクタ部２ｂが示されている。【００３１】
図２は、図１に示す接続モジュールによる対応が可能なコンピュータを示す図である。【００３２】
図２には、キーボード１１１を有する基部１１と、表示画面１２１を有し、この基部１１に対し開閉自在かつ回動自在に支持する二軸の連結部１３を介して連結された画面部１２とを備えたコンピュータ１０が示されている。このコンピュータ１０は、画面部１２がこの基部１１の上に立設した開状態と、画面部１２が基部１１の上にこの表示画面１２１を内向きにして重ねられた第１の閉状態と、画面部１２がこの基部１１の上にこの表示画面１２１を外向きにして重ねられた第２の閉状態とを有する、所謂コンバーチブル型タブレットコンピュータである。【００３３】
図２（ａ）には、このコンピュータ１０が上述の第１の閉状態にある様子が示されており、図２（ｂ）には、このコンピュータ１０が上述の開状態にある様子が示されている。【００３４】
図２（ｃ）から図２（ｅ）には、このコンピュータ１０を、図２（ｂ）に示す開状態から第２の閉状態にするまでの過程が示されており、図２（ｃ）には、開状態において、二軸の連結部１３により基部１１に対し表示部１２が多少回動された状態が示されている。図２（ｄ）には、基部１１に対する回動が終了し表示部１２が基部１１の上に表示画面１２１を外向きにして重ねられる直前の様態が示されており、図２（ｅ）には、コンピュータ１０が第２の閉状態にある様子が示されている。図２（ｆ）には、コンピュータ１０の基部１１の底部が示されており、この底部には、平置き状態にある回動板３の上面にコンピュータ１０が平置きされる際に、回動板３の上面に設けられた第１コネクタ４が嵌め込まれる第１凹コネクタ１１２が設けられている。【００３５】
図３は、本発明の電子機器結合システムの一実施形態の外観図である。【００３６】
図３に示す、本実施形態である電子機器結合システム４００は、コンピュータ１０と、接続モジュール１（図１参照）とで構成されている。【００３７】
図３（ａ）には、平置き状態にある回動板３にコンピュータ１０が平置きされている様子が示されており、図３（ｂ）には、立掛け状態にある回動板３にコンピュータ１０が立て掛けられている様子が示されている。【００３８】
接続モジュール１の回動板３が図１（ａ）に示す平置き状態にあるときに、回動板３の上面に備えられている第１コネクタ４とコンピュータ１０の底部に備えられている第１凹コネクタ１１２とを嵌合させるようにコンピュータ１０が平置きされることで、本実施形態の電子機器結合システム４００では、コンピュータ１０が接続モジュール１に結合され、接続モジュール１の本体２の電子回路とコンピュータ１０の内部の電子回路とが電気的に接続される。【００３９】
また、本実施形態の電子機器結合システム４００では、接続モジュール１の回動板３が図１（ｂ）に示す立掛け状態にあるときに、回動板３の下面３ｂに備えられている第２コネクタ５とコンピュータ１０の底部に備えられている第１凹コネクタ１１２とを嵌合させるようにコンピュータ１０が立て掛けられることで、このコンピュータ１０の内部の電子回路は接続モジュール１に結合され、本体２の電子回路と電気的に接続される。本体２の電子回路は、前述したように、ＬＡＮやプリンタなどとの接続用のコネクタ部２ｂと接続されていることから、本体２の電子回路と電気的に接続されたコンピュータ１０は、それ自身に備えられている外部機器との接続性能を越えた高い接続性能を得ることができる。【００４０】
以上説明したように、本実施形態の接続モジュール１によれば、基部１１に対し表示部１２が立設した開状態と、この画面部１２がこの基部１１の上にこの表示画面１２１を外向きにして重ねられた第２の閉状態とで使用されるコンピュータ１０への対応が可能である。また、本実施形態の電子機器結合システム４００では、コンピュータ１０の電子回路が本体２の電子回路と電気的に接続されることで、コンピュータ１０は、それ自身に備えられている外部機器との接続性能を越えた高い接続性能を得ることができる。尚、この接続モジュール１によれば、いわば上述の第２の閉状態でのみ使用されるスレート型タブレットコンピュータ、あるいは、いわば上述の開状態でのみ使用されるノート型パーソナルコンピュータにも対応可能である。また、以上の実施形態では、第１コネクタ４が回動板３の上面３ａに設けられ、第２コネクタ５が回動板３の下面３ｂに設けられている例を挙げて説明したが、回動板３が平置き状態にある時のこの回動板３の上面３ａに平置きされたコンピュータ１０と結合するようになっていれば、この第１コネクタ４の設けられる位置は回動板３の上面３ａに限られず、回動板３が立掛け状態にある時のこの回動板３の下面３ｂに立て掛けられたコンピュータ１０と結合するようになっていれば、この第２コネクタ５の設けられる位置も回動板３の下面３ｂに限らない。さらには、以上の実施形態では、コンピュータ１０を立て掛けた場合にもこのコンピュータ１０と本体内部の電子回路との接続を図るための第２コネクタ５を備えた例を挙げて説明したが、この第２コネクタ５が備えられておらず、このコンピュータ１０が立て掛けられている際には本体内部の電子回路との接続が図られないようなっていても本発明の基本的効果は減却されない。【００４１】
次に、本発明の接続モジュールの第２実施形態について説明する。【００４２】
図４は、本実施形態の接続モジュールを示す図である。尚、図４に示す部材で、図１に示す部材と同じ種類の部材には、図１に付した符号と同じ符号を付している。【００４３】
図４に示す接続モジュール１００と図１に示す接続モジュール１との間の相違点は、図１に示す接続モジュール１では回動板３の下面３ｂに備えられていた第２コネクタ５が、本実施形態の接続モジュール１００では、本体２の受部２ａに備えられている点である。【００４４】
図４（ａ）には、接続モジュール１００の回動板３の平置き状態が示され、図４（ｂ）には、接続モジュール１００の回動板３の立掛け状態が示されている。また、図４（ｃ）には、平置き状態の回動板３を左側面側から見た様子が示されており、図４（ｄ）には、立掛け状態の回動板３を左側面側から見た様子が示されている。【００４５】
図５は、本実施形態の接続モジュールによる対応が可能なコンピュータを示す図である。【００４６】
図５には、この接続モジュール１００による対応が可能なコンピュータ２０が示されている。このコンピュータ２０には、図２に示すコンピュータ１０とは異なり、接続モジュール１００に立て掛けた際に下端になる位置に第１凹コネクタ１１２と機能的には同じ第２凹コネクタ２１２がさらに設けられている。【００４７】
本実施形態の接続モジュール１００の回動板３が図４（ａ）に示す平置き状態にあるときに、回動板３の上面３ａに備えられている第１コネクタ４とコンピュータ２０の底部に備えられている第１凹コネクタ１１２とを嵌合させるようにコンピュータ２０を平置きすることで、このコンピュータ２０は接続モジュール１００に結合され、本体内部の電子回路と電気的に接続される。【００４８】
また、本実施形態の接続モジュール１００の回動板３が図４（ｂ）に示す立掛け状態にあるときに、本体２の受部２ａに備えられている第２コネクタ５とコンピュータ１０に備えられている第２凹コネクタ２１２とを嵌合させるようにコンピュータ２０が立て掛けられることで、このコンピュータ２０は接続モジュール１００に結合され、本体内部の電子回路と電気的に接続される。この電子回路は、前述したように、ＬＡＮやプリンタなどとの接続用のコネクタ部２ｂと接続されていることから、本体内部の電子回路と電気的に接続されたコンピュータ１０は、それ自身に備えられている外部機器との接続性能を越えた高い接続性能を得ることができる。【００４９】
以上説明したように、本実施形態の接続モジュール１００によっても、基部２１に対し表示部１２が立設した開状態と、この画面部１２がこの基部１１の上にこの表示画面１２１を外向きにして重ねられた第２の閉状態とで使用されるコンピュータ２０への対応が可能である。【００５０】
次に、本発明の接続モジュールの第３実施形態について説明する。【００５１】
図６は、本実施形態の接続モジュールを示す図である。尚、図６に示す部材で、図４に示す部材と同じ種類の部材には、図４に付した符号と同じ符号を付している。【００５２】
図６に示す接続モジュール２００と図４に示す接続モジュール１００との間の相違点は、図４に示す接続モジュール１００では本体２の受部２ａに第２コネクタ５が備えられているのに対し、本実施形態の接続モジュール２００では本体２０２の受部２ａに、第２コネクタ５の代わりに第３コネクタ６が備えられている点である。この第３コネクタ６は、本体内部に備えられた電力供給回路（不図示）を通じて電力をコンピュータ３０（図７参照）へ供給するためのものである。【００５３】
図６（ａ）には、接続モジュール２００の回動板３の平置き状態が示され、図６（ｂ）には、接続モジュール２００の回動板３の立掛け状態が示されている。また、図６（ｃ）には、平置き状態にある回動板３を左側面側から見た様子が示されており、図６（ｄ）には、立掛け状態にある回動板３を左側面側から見た様子が示されている。【００５４】
図７は、本実施形態の接続モジュールによる対応が可能なコンピュータを示す図である。【００５５】
図７には、この接続モジュール２００による対応が可能なコンピュータ３０が示されている。このコンピュータ３０では、図５に示すコンピュータ２０においては第２凹コネクタ２１２が設けられている位置に第３凹コネクタ３１３が設けられている。この第３凹コネクタ３１３には、本実施形態の接続モジュール２００の本体２０２の受部２ａに備えられている、コンピュータ３０に電力を供給するための第３コネクタ６が嵌め込み可能となっている。この第３凹コネクタ３１３に第３コネクタ６が嵌め込まれることで、本体内部に備えられている電力供給回路からコンピュータ３０へ電力が供給される。【００５６】
本実施形態の接続モジュール２００の回動板３が図６（ａ）に示す平置き状態にあるときに、回動板３の上面に備えられている第１コネクタ４とコンピュータ３０の底部に備えられている第１凹コネクタ１１２とを嵌合させるようにコンピュータ３０が平置きされることで、このコンピュータ３０は接続モジュール２００に結合され、本体内部の電子回路と電気的に接続される。この電子回路は、第１実施形態の接続モジュール１と同様に、ＬＡＮやプリンタなどとの接続用のコネクタ部２ｂと接続されている。これにより、コンピュータ３０は、それ自身に備えられている外部機器との接続性能を越えた高い接続性能を得ることができる。【００５７】
また、本実施形態の接続モジュール２００の回動板３が図６（ｂ）に示す立掛け状態にあるときに、本体２０２の受部２ａに備えられている第３コネクタ６とコンピュータ３０に備えられている第３凹コネクタ３１３とを嵌合させるようにコンピュータ３０が立て掛けられることで、このコンピュータ３０は接続モジュール２００に結合され、電力が供給される。【００５８】
以上説明したように、本実施形態の接続モジュール２００によっても、基部３１に対し表示部１２が立設した開状態と、この画面部１２がこの基部１１の上にこの表示画面１２１を外向きにして重ねられた第２の閉状態とで使用されるコンピュータ３０への対応が可能である。【００５９】
尚、本実施形態では、第３コネクタ６を本体２０２の受部２ａに設けられた場合を例に挙げて説明したが、本発明では、立掛け状態にある回動板３に立て掛けられたコンピュータ３０と結合してこのコンピュータ３０に電力を供給するのであればこの場所に限るものではなく、また、コンピュータ３０が第１の閉状態と第２の閉状態のいずれの状態にあってもよい。【００６０】
最後に、本発明の接続モジュールの第４実施形態について説明する。【００６１】
図８は、本実施形態の接続モジュールの外観を示す図である。【００６２】
図８には、第１実施形態の接続モジュール１においては回動板３の下面３ｂに備えられていた第２コネクタ部５が、この回動板３とは別に本体２に回動自在に備えられているコネクタ保持板７に備えられている様子が示されている。尚、以下では、本実施形態の接続モジュール３００は、第１実施形態である接続モジュール１による対応が可能なコンピュータ１０に対応が可能なものとして話を進める。【００６３】
このコネクタ保持板７は、本体２に軸支されるとともに、回動板３が立掛け状態にある時には、平置き状態での本体３０２の受部２ａとの衝突を避けるために回動板３に備えられている開口３ｃに入り込んで、第２コネクタ部５が回動板３に立て掛けられたコンピュータ１０の第１凹コネクタ（図２（ｆ）参照）１１２と結合した結合状態と、この第２コネクタ部５が回動板３に立て掛けられたコンピュータ１０から離間した離間状態との間で回動自在となっている。【００６４】
図８（ａ）には、この接続モジュール３００の回動板３の平置き状態が示されており、本体３０２の中央部には、第２コネクタ部５が設けられたコネクタ保持板７も示されている。また、図８（ａ）には、本体３０２に、コネクタ保持板７を指で上方に起こすための指入部３０２ａが設けられている様子が示されている。【００６５】
図８（ｂ）には、本実施形態の接続モジュール３００の回動板３の立掛け状態が示されており、図８（ｃ）には、接続モジュール３００の左側面側から見た様子が示されている。【００６６】
図８（ｄ）には、コネクタ保持板７が図８（ａ）に示す離間状態から指で引き起こされて、第２コネクタ部５とコンピュータ１０の第１凹コネクタ１１２との結合が可能な結合状態にされている様子が示されている。【００６７】
図８（ｅ）には、コネクタ保持板７が離間状態と結合状態との間の状態にある様子が示されている。また、図８（ｅ）には、回動板３に、結合状態にむけて回動板側に回動されてきたコネクタ保持板７の端部の段差部分７１と噛み合うように掘り込まれた掘込部３ｄが設けられている様子が示されている。この堀込部３ｄが設けられていることで、回動板側に引き起こされてきたコネクタ保持板７は、立掛け状態にある回動板３の開口３ｃを越えて本体２の受部２ａ側にまで回動することが防止されている。この様にすることで、回動板３に立て掛けられ、コネクタ保持板７の第２コネクタ部５が第１凹コネクタ１１２と結合しているコンピュータ１０を、うっかりコネクタ保持板７を離間させずに接続モジュール３００から取り外ずそうとした場合に、このコネクタ保持板７を回動板３の開口３ｃを越えて引っ張り付けることでコネクタ保持板７に保持されている第２コネクタ部５が傷んでしまうのを防止することができる。【００６８】
また、図８（ｅ）には、コンピュータ１０と結合状態にある第２コネクタ５を取り外す際に使用する凸部８が、コネクタ保持板７において第２コネクタ５が設けられている面とは反対側の面に取り付けられている様子も示されている。【００６９】
図８（ｆ）には、コネクタ保持板７の段差部７１と回動板３の堀込部３ｄが噛み合っている際に、回動板３の下面３ｂとコネクタ保持板７の第２コネクタ５が取り付けられている面とが面一になっている様子が示されている。【００７０】
本実施形態の接続モジュール３００の回動板３が図８（ａ）に示す平置き状態にあるときに、回動板３の上面３ａに備えられている第１コネクタ４とコンピュータ１０の底部に備えられている第１凹コネクタ１１２とを嵌合させるようにコンピュータ１０が平置きされることで、このコンピュータ１０は接続モジュール３００に結合され、本体内部の電子回路と電気的に接続される。【００７１】
また、本実施形態の接続モジュール３００の回動板３が図８（ｂ）に示す立掛け状態にあるときに、コネクタ保持板７に保持されている第２コネクタ５とコンピュータ１０に備えられている第１凹コネクタ１１２とを嵌合するようにコンピュータ１０が立て掛けられることで、このコンピュータ１０は接続モジュール３００に結合され、本体内部の電子回路と電気的に接続される。この電子回路は、第１実施形態の接続モジュール１と同様に、ＬＡＮやプリンタなどとの接続用のコネクタ部２ｂと接続されていることから、本体内部の電子回路と電気的に接続されたコンピュータ１０は、それ自体に備えられている最小限度の接続性を越えた、外部機器との高い接続性能を得ることができる。【００７２】
以上説明したように、本実施形態の接続モジュール３００によっても、基部１１に対し表示部１２が立設した開状態と、この画面部１２がこの基部１１の上にこの表示画面１２１を外向きにして重ねられた第２の閉状態とで使用されるコンピュータ１０への対応が可能である。【００７３】
尚、本実施形態では、コネクタ保持板７を指で引き起こすことができるように指入部３０２ａが設けられている例を挙げて説明したが、本発明はこれに限るものではなく、コネクタ保持板７の下にカムを配備してスイッチ操作でカムを回転させてこのコネクタ保持板７を起こすようにしてもよい。
【図１】
2008096448.tif 000003
【図２】
2008096448.tif 000004
【図３】
2008096448.tif 000005
【図４】
2008096448.tif 000006
【図５】
2008096448.tif 000007
【図６】
2008096448.tif 000008
【図７】
2008096448.tif 000009
【図８】
2008096448.tif 000010
【国際調査報告】
2008096448.tif 000011
2008096448.tif 000012
2008096448.tif 000013
2008096448.tif 000014